(57)【要約】      （修正有）【課題】ＰＰＰｏＳＴＭを用いた地域ＩＰ網やインターネットへのアクセスサービスを実現する方法及び手段を提供することにある。【解決手段】ＳＴＭ通信網と該ＳＴＭ通信網に収容されるＳＴＭ専用線統合装置と複数のＳＴＭ端末とを含む通信システムにおいて、該ＳＴＭ専用線統合装置がＰＰＰｏＳＴＭを持ち、該ＳＴＭ専用線統合装置に収容されたＳＴＭ端末がＰＰＰｏＳＴＭ通信を用いて地域ＩＰ網やインターネットに接続できるようにする。【選択図】        図２
2004336526.tif 000002
【特許請求の範囲】
【請求項１】
ＳＴＭ通信網と該ＳＴＭ通信網に収容のＳＴＭ専用線統合装置と複数のＳＴＭ端末とを含む通信システムにおいて、該ＳＴＭ専用線統合装置がＰＰＰｏＳＴＭ通信機能を持ち、該ＳＴＭ専用線統合装置に収容されたＳＴＭ端末がＰＰＰｏＳＴＭ通信を用いて地域ＩＰ網やインターネットに接続できることを特徴とするＩＰｏＳＴＭアクセスサービスの方法。
【請求項２】
請求項１記載のＩＰｏＳＴＭサービスの方法におけるＳＴＭ専用線統合装置であって、地域ＩＰ網とのインターフェースを備え、複数のＳＴＭ専用線を収容し、地域ＩＰ網の一部を構成することを特徴とするＳＴＭ専用線統合装置。
【請求項３】
請求項１記載のＩＰｏＳＴＭアクセスサービスの方法において、地域ＩＰ網がＰＰＰｏＳＴＭ通信機能を持つＳＴＭ専用線統合装置を備え、該ＳＴＭ専用線統合装置に収容されたＳＴＭ端末が地域ＩＰ網とＳＴＭ網経由でＳＴＭ専用線通信するとともに、ＰＰＰｏＳＴＭ通信を用いて地域ＩＰ網経由でインターネットに接続可能であることを特徴するＩＰｏＳＴＭアクセスサービスの方法。
【請求項４】
請求項３記載のＩＰｏＳＴＭアクセスサービスの方法に使用する地域ＩＰ網であって、ＰＰＰｏＳＴＭ通信機能を持つＳＴＭ専用線統合装置と該ＳＴＭ専用線統合装置からのＳＴＭ通信をＳＴＭ通信網に中継するＳＴＭ回線を構成要素として備えていることを特徴とする地域ＩＰ網。
【請求項５】
請求項１記載のＩＰｏＳＴＭアクセスサービスの方法において、地域ＩＰ網内のディジタル加入者線アクセス多重装置がＰＰＰｏＳＴＭ通信機能を持ち、該ディジタル加入者線アクセス多重装置に収容されたＳＴＭ端末が地域ＩＰ網とＳＴＭ網経由でＳＴＭ専用線通信するとともに、ＰＰＰｏＳＴＭ通信を用いて地域ＩＰ網経由でインターネットに接続可能であることを特徴するＩＰｏＳＴＭアクセスサービスの方法。
【請求項６】
請求項５記載のＩＰｏＳＴＭアクセスサービスの方法に使用する地域ＩＰ網であって、地域ＩＰ網内のディジタル加入者線アクセス多重装置がＰＰＰｏＳＴＭ通信機能を持ち、且つ該ディジタル加入者線アクセス多重装置からのＳＴＭ通信をＳＴＭ通信網に中継するＳＴＭ回線を構成要素として備えていることを特徴する地域ＩＰ網。
【請求項７】
請求項１、３または５記載のＩＰｏＳＴＭアクセスサービスの方法において、ＳＴＭ通信網はフレッツオフィスサービスを実施するサブシステムも備え、ＳＴＭ端末が使用する全通信路においてＩＰｏＳＴＭ通信をサービスすることができることを特徴とするＩＰｏＳＴＭアクセスサービスの方法。
【発明の詳細な説明】
【０００１】
【発明の属する技術分野】
本発明はＳＴＭ（Ｓｙｎｃｈｒｏｎｏｕｓ  Ｔｒａｎｓｆｅｒ  Ｍｏｄｅ）上でのＩＰアクセスサービスの技術分野に属する。
【０００２】
【従来の技術】
従来の技術としてベストエフォート型のｘＤＳＬ通信やＥｔｈｅｒｎｅｔ通信や固定接続のＩＳＤＮ通信によるＩＰ伝送アクセスサービスは一般的に行われている。
また、ＰＰＰｏＳＴＭ（Ｐｏｉｎｔ  ｔｏ  Ｐｏｉｎｔ  Ｐｒｏｔｏｃｏｌ  ｏｖｅｒ  ＳＴＭ）を用いて地域ＩＰ網に接続するサービスも、例えば日本電信電話株式会社のビジネスユーザ向けにサーバ側に専用線を使用するフレッツオフィスサービスにおいてサービスされているが、地域ＩＰ網やインターネットへのアクセスサービスとしてのＰＰＰｏＳＴＭは実現されていない（例えば非特許文献１参照）。
【０００３】
図１はフレッツオフィスサービスが実施されている従来のＳＴＭ通信システムを示す図であり、ＳＴＭ通信サービスではサーバ１とＳＴＭ端末４は専用線でＳＴＭ通信網２を介して接続されている。フレッツオフィスサービスでは、サーバ１はＳＴＭ上のＩＰ接続が可能であり、ＩＰｏＥ通信などを用いて地域ＩＰ網３に接続可能であるが、アクセスサービスとしてのＰＰＰｏＳＴＭはサービスをしていない。従って、既存の地域ＩＰ網への接続サービス、例えばフレッツＩＳＤＮ、フレッツＡＤＳＬ、Ｂフレッツ等に加入している端末１１はサーバ１にアクセスできるが、ＳＴＭ系サービスで使用しているＳＴＭ端末４はＰＰＰｏＳＴＭを用いて地域ＩＰ網３やインターネットにアクセスすることは不可能であった。
【０００４】
【非特許文献１】
“ＦＬＥＴ’ｓ．ｃｏｍ”、ＮＴＴ東日本、［ｏｎｌｉｎｅ］、（平成１５年５月８日検索）、インターネット＜ＵＲＬ：ｈｔｔｐ：／／ｆｌｅｔｓ．ｃｏｍ／ｏｆｆｉｃｅ／ｓ＿ｏｕｔｌｉｎｅ．ｈｔｍｌ＞
【０００５】
【発明が解決しようとする課題】
ＰＰＰｏＳＴＭを用いた地域ＩＰ網やインターネットへのアクセスサービスを実現する方法及び手段を提供することにある。
【０００６】
【課題を解決するための手段】
請求項１に係る発明は、ＳＴＭ通信網と該ＳＴＭ通信網に収容のＳＴＭ専用線統合装置と複数のＳＴＭ端末とを含む通信システムにおいて、該ＳＴＭ専用線統合装置がＰＰＰｏＳＴＭを持ち、該ＳＴＭ専用線統合装置に収容されたＳＴＭ端末がＰＰＰｏＳＴＭ通信を用いて地域ＩＰ網やインターネットに接続できることを特徴とするＩＰｏＳＴＭアクセスサービスの方法である。
この方法によれば、既存のＳＴＭ専用線統合装置にＰＰＰｏＳＴＭ通信機能を付加するだけで、該ＳＴＭ専用線統合装置に収容されたＳＴＭ端末をＰＰＰｏＳＴＭを用いてＳＴＭ上で地域ＩＰ網やインターネットに接続可能にすることができる。
【０００７】
請求項２に係る発明は、請求項１記載のＩＰｏＳＴＭサービスの方法におけるＰＰＰｏＳＴＭをサポートするＳＴＭ専用線統合装置であって、地域ＩＰ網とのインターフェースを備え、複数のＳＴＭ専用線を収容し、地域ＩＰ網の一部を構成することを特徴とするＳＴＭ専用線統合装置である。
このＳＴＭ専用線統合装置によれば、ＳＴＭ端末からのＰＰＰｏＳＴＭ通信を地域ＩＰ網に収容することができる。
【０００８】
請求項３に係る発明は、請求項１記載のＩＰｏＳＴＭアクセスサービスの方法において、地域ＩＰ網がＰＰＰｏＳＴＭ通信機能を持つＳＴＭ専用線統合装置を備え、該ＳＴＭ専用線統合装置に収容されたＳＴＭ端末が地域ＩＰ網とＳＴＭ網経由でＳＴＭ通信するとともに、ＰＰＰｏＳＴＭ通信を用いて地域ＩＰ網経由でインターネットに接続可能であることを特徴するＩＰｏＳＴＭアクセスサービスの方法である。
この方法によれば、地域ＩＰ網におけるＳＴＭ通信サービスとアクセスサービスとしてのＰＰＰｏＳＴＭ通信を提供することができる。
【０００９】
請求項４に係る発明は、請求項３記載のＩＰｏＳＴＭアクセスサービスの方法に使用する地域ＩＰ網であって、ＰＰＰｏＳＴＭ通信機能を持つＳＴＭ専用線統合装置と該ＳＴＭ専用線統合装置からのＳＴＭ通信をＳＴＭ通信網に中継するＳＴＭ回線を構成要素として備えていることを特徴する地域ＩＰ網である。
この地域ＩＰ網によれば、該ＳＴＭ専用線統合装置に収容されたＳＴＭ端末は地域ＩＰ網とＳＴＭ網経由でＳＴＭ通信することができるとともに、ＰＰＰｏＳＴＭ通信を用いて地域ＩＰ網経由でインターネットに接続することができる。
【００１０】
請求項５に係る発明は、請求項１記載のＩＰｏＳＴＭアクセスサービスの方法において、地域ＩＰ網内のディジタル加入者線アクセス多重装置がＰＰＰｏＳＴＭ通信機能を持ち、該ディジタル加入者線アクセス多重装置に収容されたＳＴＭ端末が地域ＩＰ網とＳＴＭ網経由でＳＴＭ専用線通信するとともに、ＰＰＰｏＳＴＭ通信を用いて地域ＩＰ網経由でインターネットに接続可能であることを特徴するＩＰｏＳＴＭアクセスサービスの方法である。
この方法によれば、地域ＩＰ網内にＰＰＰｏＳＴＭ通信機能を持つＳＴＭ専用線統合装置を設ける必要がなく、代わりに既存のディジタル加入者線アクセス多重装置にＰＰＰｏＳＴＭ通信機能を付加するだけでよい。
【００１１】
請求項６に係る発明は、請求項５記載のＩＰｏＳＴＭアクセスサービスの方法に使用する地域ＩＰ網であって、地域ＩＰ網内のディジタル加入者線アクセス多重装置がＰＰＰｏＳＴＭ通信機能を持ち、且つ該ディジタル加入者線アクセス多重装置からのＳＴＭ通信をＳＴＭ通信網に中継するＳＴＭ回線を構成要素として備えていることを特徴する地域ＩＰ網である。
この方法によれば、ＳＴＭ端末を該ディジタル加入者線アクセス多重装置に接続し、地域ＩＰ網とＳＴＭ網経由でＳＴＭ通信することができるとともに、ＰＰＰｏＳＴＭ通信を用いて地域ＩＰ網経由でインターネットに接続することができる。
【００１２】
請求項７に係る発明は、請求項１、３または５記載のＩＰｏＳＴＭアクセスサービスの方法において、ＳＴＭ通信網はフレッツオフィスサービスを実施するサブシステムも備え、ＳＴＭ端末が使用する全通信路においてＩＰｏＳＴＭ通信をサービスすることができることを特徴とするＩＰｏＳＴＭアクセスサービスの方法である。
この方法によれば、請求項１に記載のアクセスサービスにおけるＩＰｏＳＴＭ通信、請求項３に記載の地域ＩＰ網におけるＩＰｏＳＴＭ通信、フレッツオフィスにおけるＩＰｏＳＴＭ通信の全て、即ちＳＴＭ端末が使用する全通信路においてＩＰｏＳＴＭ通信を提供することができる。
【００１３】
【発明の実施の形態】
本発明の実施の形態を図２〜図６を参照して以下に詳細に説明する。
図２は、請求項１に記載の本発明のＩＰｏＳＴＭアクセスサービス方法が実施された通信システムの第１の実施例を示し、サーバ１とＳＴＭ端末４、５は専用線でＳＴＭ通信網２及びＤＳＭ  （Ｄｅｄｉｃａｔｅｄ  Ｓｅｒｖｉｃｅ  Ｈａｎｄｌｉｎｇ  Ｍｏｄｕｌｅ）  もしくはＤＳＭ−Ｌ（Ｄｅｄｉｃａｔｅｄ  Ｓｅｒｖｉｃｅ  Ｈａｎｄｌｉｎｇ  Ｍｏｄｕｌｅ−Ｌａｒｇｅ）などのＳＴＭ専用線統合装置６を経由して接続されＳＴＭ通信している。
本システムでは、フレッツオフィスサービスを実施しており、サーバ１はＩＰｏＳＴＭ通信機能を有している。更に、ＳＴＭ通信網２内のＳＴＭ専用線統合装置（ＤＳＭもしくはＤＳＭ−Ｌ）６はＰＰＰｏＳＴＭ通信機能を有している。
【００１４】
従って、本システムでは、サーバ１はＳＴＭ上でのＩＰ接続が可能であり、ＰＰＰｏＳＴＭを用いてＳＴＭ通信網２経由で地域ＩＰ網３やインターネットに接続することが可能であるとともに、ＳＴＭ専用線統合装置（ＤＳＭもしくはＤＳＭ−Ｌ）６に収容されたＳＴＭ端末４及び５もＳＴＭ上でのＩＰ接続が可能であり、ＰＰＰｏＳＴＭを用いてＳＴＭ専用線統合装置（ＤＳＭもしくはＤＳＭ−Ｌ）６経由で地域ＩＰ網３やインターネットに接続することが可能である。
【００１５】
ＳＴＭ専用線統合装置（ＤＳＭもしくはＤＳＭ−Ｌ）６は、地域ＩＰ網とのインターフェースを備え、ＳＴＭ端末４と５からの複数のＳＴＭ専用線を収容し、該地域ＩＰ網の一部を構成する（請求項２）。これを図１の実施例を更に具体化した図５に示す第３の実施例について説明すると、地域ＩＰ網７を構成するＬＡＣ（Ｌ２ＴＰ  Ａｃｃｅｓｓ  Ｃｏｎｔｒｏｌｌｅｒ）やＬＮＳ（Ｌ２ＴＰ  Ｎｅｔｗｏｒｋ  Ｓｅｖｅｒ）などのＰＰＰ終端装置ｌ０とＳＴＭ通信網２内のＳＴＭ専用線統合装置（ＤＳＭもしくはＤＳＭ−Ｌ）６がインターフェースで対向接続しており、ＳＴＭ端末４と５からのＰＰＰｏＳＴＭ通信を地域ＩＰ網７に収容する。
【００１６】
図３は本発明のＩＰｏＳＴＭアクセスサービス方法が実施された通信システムの第２の実施例を示し、本例では地域ＩＰ網７内にＰＰＰｏＳＴＭ通信機能を持つＳＴＭ専用線統合装置（ＤＳＭもしくはＤＳＭ−Ｌ）６を備え、該ＳＴＭ専用線統合装置６がＳＴＭ端末８と９からのＳＴＭ専用線を収容しており、ＳＴＭ端末８と９はＳＴＭ回線で地域ＩＰ網７とＳＴＭ通信網２を経由してサーバ１とＳＴＭ通信するとともに、ＰＰＰｏＳＴＭ通信を用いて地域ＩＰ網７経由でインターネットと通信可能である（請求項３）。
すなわち、本例システムでは、地域ＩＰ網７は構成要素としてＳＴＭ回線を備えていてＳＴＭ専用線統合装置（ＤＳＭもしくはＤＳＭ−Ｌ）６からのＳＴＭ通信をＳＴＭ通信網２に中継接続している（請求項４）。
【００１７】
上述した本発明の第１及び第２の実施例におけるフレッツオフィスと地域ＩＰ網とアクセスサービスにおいて使用されるプロトコルの構成例を図４の一覧表に示す。
縦軸はＯＳＩ参照モデルにおけるレイヤであり、横軸はサービス種別である。フレッツオフィスのサービスにはＡＴＭ、ＳＴＭ、Ｅｔｈｅｒの３つのサービスがあり、地域ＩＰ網サービスには既存技術としての地域ＩＰ網サービスに加えて本発明の第２の実施例によるＳＴＭサービス（フレッツＬ２サービスという）があり、アクセスサービスにはフレッツＩＳＤＮ、フレッツＡＤＳＬ、光ＩＰサービスすなわちＢフレッツのサービスに加えて、本発明の第１の実施例によるＳＴＭサービス（フレッツＬｌサービスという）及び第２の実施例によるＳＴＭサービス  （フレッツＬ２サービス）がある。尚、後に詳述するが、フレッツＬ３サービスもある。
【００１８】
フレッツオフィスにおけるＳＴＭサービスにおいて使用されるプロトコルはレイヤ１の物理層ではＳＴＭ、レイヤ２のデータリンク層ではＰＰＰ、レイヤ３のネットワーク層ではＩＰ／ＩＣＭＰ（Ｉｎｔｅｒｎｅｔ  Ｃｏｎｔｒｏｌ  Ｍａｎａｇｅｍｅｎｔ  Ｐｒｏｔｏｃｏｌ）、レイヤ４〜７のトランスポート層〜アプリケーション層ではＲＡＤＩＵＳ（Ｒｅｍｏｔｅ  Ａｕｔｈｅｎｔｉｃａｔｉｏｎ  Ｄｉａｌ  Ｉｎ  Ｕｓｅｒ  ｓｅｒｖｉｃｅ）である。
【００１９】
フレッツＬｌサービスは請求項１に対応する第１の実施例で提供され、フレッツＬ２サービスは請求項３に対応する第２の実施例で提供され、これらのサービスにおいて使用されるプロトコルはレイヤ１の物理層ではＳＴＭ、レイヤ２のデータリンク層ではＰＰＰ、レイヤ３のネットワーク層ではＩＰ／ＩＣＭＰ、レイヤ４〜７のトランスポート層〜アプリケーション層ではＲＡＤＩＵＳであり、ＰＰＰｏＳＴＭをサポートする。
【００２０】
更に、図４には記載されていないが、請求項７に対応するフレッツＬ３サービスがあり、このサービスは、フレッツオフィスにおけるＳＴＭサービスと、フレッツＬ２における地域ＩＰ網７におけるＳＴＭサービス及びアクセスサービスとしてのＳＴＭサービスと、フレッツＬ１におけるアクセスサービスとしてのＳＴＭサービスの全てを提供するサービスであり、このサービスにおいて使用されるプロトコルはレイヤ１の物理層ではＳＴＭ、レイヤ２のデータリンク層ではＰＰＰ、レイヤ３のネットワーク層ではＩＰ／ＩＣＭＰ、レイヤ４〜７のトランスポート層〜アプリケーション層）ではＲＡＤＩＵＳである。フレッツＬ３のサービスはＥＮＤ  ｔｏ  ＥＮＤトータルでＩＰｏＳＴＭ通信をサービスすることができ、従来の専用線サービスとしてのＳＴＭ上でＩＰを用いる場合の通信品質と同等レベルの通信品質が確保できる。
【００２１】
図５は図２の第１の実施例を更に具体化させた本発明の第３の実施例の通信システムであり、本例では地域ＩＰ網７内のＰＰＰ終端装置であるＬＡＣもしくはＬＮＳ１０とＳＴＭ通信網２内のＳＴＭ専用線統合装置（ＤＳＭもしくはＤＳＭ−Ｌ）６が対向接続しており、該ＳＴＭ専用線統合装置１０に収容されたＳＴＭ端末４，５からのＰＰＰｏＳＴＭ通信を地域ＩＰ網７に収容するよう構成されている。即ち、ＳＴＭ専用線統合装置（ＤＳＭもしくはＤＳＭ−Ｌ）６は地域ＩＰ網７内のＰＰＰ終端装置（ＬＡＣ／ＬＮＳ）ｌ０と対向するインターフェースを備えており、地域ＩＰ網の一部を構成し、ＳＴＭ端末４，５からのＰＰＰｏＳＴＭ通信を地域ＩＰ網７に収容するように作用する。従って、ＳＴＭ端末４と５は、ＤＳＭもしくはＤＳＭ−Ｌ６とＳＴＭ網２を経由してサーバ１とＳＴＭ専用線で通信することができるのに加えて、ＤＳＭもしくはＤＳＭ−Ｌ６とＬＡＮ／ＬＮＳｌ０とを経由してＰＰＰｏＳＴＭ通信で地域ＩＰ網７に接続し、インターネットに接続することもできる。また、ＳＴＭ端末４，５は、例えばフレッツＩＳＤＮ、フレッツＡＤＳＬ、Ｂフレッツなどの他の接続サービスを用いて地域ＩＰ網７内のフレッツ網のディジタル加入者線アクセス多重装置であるＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）１２へアクセスする端末１１とも接続可能である。
【００２２】
図６は本発明の第４の実施例の通信システムであり、本例では地域ＩＰ網７内のＰＰＰ終端装置（ＬＡＣ／ＬＮＳ）ｌ０とＳＴＭ通信網２内のＳＴＭ専用線統合装置（ＤＳＭもしくはＤＳＭ−Ｌ）６が対向接続しており、該ＳＴＭ専用線統合装置に収容されたＳＴＭ端末４と５からのＰＰＰｏＳＴＭ通信を地域ＩＰ網７に収容するよう構成されている。即ち、ＳＴＭ専用線統合装置（ＤＳＭもしくはＤＳＭ−Ｌ）６は地域ＩＰ網７内のＰＰＰ終端装置（ＬＡＣ／ＬＮＳ）ｌ０と対向するインターフェースを備えており、地域ＩＰ網の一部を構成し、ＳＴＭ端末４，５からのＰＰＰｏＳＴＭ通信を地域ＩＰ網７に収容するように作用する。従って、ＳＴＭ端末４と５は、ＤＳＭもしくはＤＳＭ−Ｌ６とＳＴＭ網２を経由してサーバ１とＳＴＭ専用線で通信することができるのに加えて、該ＤＳＭもしくはＤＳＭ−Ｌ６とＬＡＣ／ＬＮＳｌ０とを経由してＰＰＰｏＳＴＭ通信で地域ＩＰ網７に接続し、インターネットに接続することもできる。また、ＳＴＭ端末４，５は、例えばフレッツＩＳＤＮ、フレッツＡＤＳＬ、Ｂフレッツなどの他の接続サービスを用いて地域ＩＰ網７内のディジタル加入者線アクセス多重装置（ＤＳＬＡＭ）１２へアクセスする端末１１とも接続可能である。
【００２３】
本例では、更に、地域ＩＰ網７内のディジタル加入者線アクセス多重装置（ＤＳＬＡＭ）１２がＰＰＰｏＳＴＭ通信機能を持ち、ＳＴＭ端末８と９からのＳＴＭ専用線を収容しており、ＳＴＭ端末８と９は地域ＩＰ網７とＳＴＭ通信網２を経由してサーバ１とＳＴＭ回線で通信することができるとともにＳＴＭ端末４，５ともＳＴＭ専用線で通信することができる（請求項５，６）。更に、ＳＴＭ端末８と９はＰＰＰｏＳＴＭ通信を用いて地域ＩＰ網７経由でインターネットにも接続可能である。また、ＳＴＭ端末８と９は、例えばフレッツＩＳＤＮ、フレッツＡＤＳＬ、Ｂフレッツなどの他の接続サービスを用いて地域ＩＰ網７へアクセスする端末１１とも接続可能である。
【００２４】
【発明の効果】
・現行ＳＴＭ端末のままＰＰＰｏＳＴＭ通信が可能で、ＳＴＭ端末からのアクセスが自由に出来るＩＰｏＳＴＭ通信が実現する。
・ＳＴＭの利点である遅延やセキュリティの保証を生かしたＳＴＭ端末用ＩＰ通信アクセスサービスが実現する。また、本発明によるフレッツＬ１サービス、フレッツＬ２サービス、フレッツＬ３サービスを必要に応じ選択使用することにより、ユーザの必要な部分だけ遅延やセキュリティの保証を行うことができる。
・ＳＴＭ専用端末が行う通信の全区間でＩＰｏＳＴＭ通信アクセスサービスが実現する。
・本発明による通信の品質は、例えばフレッツオフィスサービスでＳＴＭを使用し、地域ＩＰ網とのアクセスサービスに本発明のフレッツＬサービスを使用する場合には、従来の専用線サービスとしてのＳＴＭ上でＩＰを用いる場合の通信品質と同等レベルの通信品質が確保出来る。
・上記の場合は従来専用通信サービスでしか実現し得なかった帯域保証型（非ベストエフオート型）のＩＰアクセス通信サービスが実現する。
・現在広く普及しはじめたＩＰ網へのアクセス手段を用いてＳＴＭ専用線に接続できる。
・いかなる種類のアクセス手段をもつ端末同士も相互に接続することが可能である。
【図面の簡単な説明】
【図１】フレッツオフィスサービスが適用されている従来のＳＴＭ通信システムを示す図である。
【図２】本発明のＩＰｏＳＴＭアクセスサービス方法を実施するＳＴＭ通信システムの第１の実施例を示す図である。
【図３】本発明のＩＰｏＳＴＭアクセスサービス方法を実施するＳＴＭ通信システムの第２の実施例を示す図である。
【図４】本発明のＩＰｏＳＴＭアクセスサービス方法を実施するＳＴＭ通信システムで使用されるプロトコルの構成例を示す図である。
【図５】本発明のＩＰｏＳＴＭアクセスサービス方法を実施するＳＴＭ通信システムの第３の実施例を示す図である。
【図６】本発明のＩＰｏＳＴＭアクセスサービス方法を実施するＳＴＭ通信システムの第４の実施例を示す図である。
【符号の説明】
１  フレッツオフィスを実施するサーバ
２  ＳＴＭ通信網
３、７  地域ＩＰ網
４、５、８、９  ＳＴＭ端末
６  ＰＰＰｏＳＴＭ機能を有するＳＴＭ専用線統合装置（ＤＳＭ／ＤＳＭ−Ｌ）
１０  ＰＰＰ終端装置（ＬＡＣ／ＬＮＳ）
ｌｌ  地域ＩＰ網へ接続できる既存端末
１２  ディジタル加入者線アクセス多重装置（ＤＳＬＡＭ）
【図１】
2004336526.tif 000003
【図２】
2004336526.tif 000004
【図３】
2004336526.tif 000005
【図４】
2004336526.tif 000006
【図５】
2004336526.tif 000007
【図６】
2004336526.tif 000008